(57)【要約】  表地（１１）、及び前記表地（１１）の内面の少なくとも一部を覆う裏地（１２）を有する衣服（１０）と、前記衣服（１０）を着る生体（P）に接触して前記生体（P）が発する生体信号を取得し、前記裏地（１２）の前記表地（１１）とは反対側に取付けられた電極部（２０）と、前記電極部（２０）に形成された収容部（２７）内に挿通可能な芯線（４０）と、を備え、前記表地（１１）と前記裏地（１２）とは、前記裏地（１２）における前記電極部（２０）が取付けられている部分以外の部分（１５）で接続されているウエアラブル電極。
2017007017.tif 000002
【特許請求の範囲】
【請求項１】
表地、及び前記表地の内面の少なくとも一部を覆う裏地を有する衣服と、  前記衣服を着る生体に接触して前記生体が発する生体信号を取得し、前記裏地の前記表地とは反対側に取付けられた電極部と、  前記電極部に形成された収容部内に挿通可能な芯線と、  を備え、  前記表地と前記裏地とは、前記裏地における前記電極部が取付けられている部分以外の部分で接続されているウエアラブル電極。
【請求項２】
前記電極部は、    前記生体信号を取得する導電層と、    前記導電層の一方の面上に配置され、前記導電層に接触する挟持層と、    前記導電層と前記挟持層とを前記一方の面に沿う基準方向に沿って延びるように接続し、前記一方の面に沿うとともに前記基準方向に交差する方向に並べて配置された一対の接続部と、  を有し、  前記導電層と前記挟持層との間であって一対の前記接続部の間の部分が、前記収容部を構成する請求項１に記載のウエアラブル電極。
【請求項３】
前記基準方向に沿う第一の側における一対の前記接続部の間の距離は、前記基準方向に沿う第二の側における一対の前記接続部の間の距離よりも短い請求項２に記載のウエアラブル電極。
【請求項４】
前記導電層は、導電性高分子を含浸させた繊維構造物で形成され、  前記挟持層は金属で形成されている請求項２に記載のウエアラブル電極。
【請求項５】
前記裏地には、係合部が固定され、  前記電極部には、前記係合部に着脱可能に係合する第一の被係合部が固定され、  前記芯線には、前記係合部に着脱可能に係合する第二の被係合部が固定されている請求項１に記載のウエアラブル電極。
【発明の詳細な説明】
【技術分野】
【０００１】  本発明は、ウエアラブル電極に関する。  本願は、２０１５年７月８日に出願された特願２０１５−１３７２８７号に基づき優先権を主張し、その内容をここに援用する。
【背景技術】
【０００２】  使用者（生体）が着る下着型の衣服に電極部を取付け、使用者が発する生体信号を検出するシステムは、超高齢化社会における医療介護健康システムの効率的なツールとして近年活発に研究開発が進められている。以下では、電極部及び衣服で構成されるものを、ウエアラブル電極と称する。  ウエアラブル電極は、下着に求められる各種要件、性別、体型、季節への対応、サイズ展開、年齢層に合わせたバリエ−ション等が必要である。しかし、多様なバリエーションは、薬事認証番号が増え手続きが煩雑になる等、医療機器としての許認可・製造・管理が難しくなる。このため、できる限り少ないウエアラブル電極のバリエーションで、各種要件等に対応することが求められる。【０００３】  また、医療用のウエアラブル電極においては、電極部及び配線部はそれぞれ医療規格（例えば、非特許文献１参照）が定められている。
【先行技術文献】
【非特許文献】
【０００４】
【非特許文献１】ＡＮＳＩ／ＡＡＭＩ  ＥＣ１２：２０００  （Ｒ２０１０）、  ”Ｄｉｓｐｏｓａｂｌｅ  ＥＣＧ  ｅｌｅｃｔｒｏｄｅｓ”
【発明の概要】
【発明が解決しようとする課題】
【０００５】  しかしながら、使用者の動作等により衣服が動いた場合には、電極部が動いて、安定した測定ができなくなるという問題がある。  上記事情に鑑み、本発明は、使用者が着た衣服が動いた場合でも、電極部が動くことを抑えるウエアラブル電極を提供することを目的としている。
【課題を解決するための手段】
【０００６】  本発明の一態様は、表地、及び前記表地の内面の少なくとも一部を覆う裏地を有する衣服と、前記衣服を着る生体に接触して前記生体が発する生体信号を取得し、前記裏地の前記表地とは反対側に取付けられた電極部と、前記電極部に形成された収容部内に挿通可能な芯線と、を備え、前記表地と前記裏地とは、前記裏地における前記電極部が取付けられている部分以外の部分で接続されているウエアラブル電極である。  好適例として、前記電極部に形成された収容部内に挿通可能な芯線を備え、前記電極部は、前記生体信号を取得する導電層と、前記導電層の一方の面上に配置され、前記導電層に接触する挟持層と、前記導電層と前記挟持層とを前記一方の面に沿う基準方向に沿って延びるように接続し、前記一方の面に沿うとともに前記基準方向に交差する方向に並べて配置された一対の接続部と、を有し、前記導電層と前記挟持層との間であって一対の前記接続部の間の部分が、前記収容部を構成する。  この場合、好適には、前記基準方向の第一の側における一対の前記接続部の間の距離は、前記基準方向の第二の側における一対の前記接続部の間の距離よりも短い。【０００７】  典型例として、前記導電層は、導電性高分子を含浸させた繊維構造物で形成され、前記挟持層は金属で形成されている。  別の典型例として、前記裏地には、係合部が固定され、前記電極部には、前記係合部に着脱可能に係合する第一の被係合部が固定され、前記芯線には、前記係合部に着脱可能に係合する第二の被係合部が固定されている。
【発明の効果】
【０００８】  本発明により、使用者が着た衣服が動いた場合でも、電極部が動くのを抑えることが可能となる。
【図面の簡単な説明】
【０００９】
【図１】本発明の一実施形態のウエアラブル電極の正面に対する縦断面図である。
【図２】同ウエアラブル電極の正面に対する横断面図である。
【図３】同ウエアラブル電極の生体電極ユニットの底面図である。
【図４】本発明の変形例の実施形態のウエアラブル電極における電極部の底面図である。
【発明を実施するための形態】
【００１０】  以下、本発明に係るウエアラブル電極の一実施形態を、図１から図４を参照しながら説明する。なお、以下の全ての図面においては、図面を見やすくするため、各構成要素の厚さや寸法の比率を調整している。  図１及び２に示すように、本実施形態のウエアラブル電極１は、表地１１及び裏地１２を有する下着（衣服）１０と、裏地１２の表地１１とは反対側に取付けられた電極部２０と、電極部２０に接続された配線部４０とを備えている。  なお、図１は、立っている使用者（生体）Ｐがウエアラブル電極１を着た状態を示す。  以下では、まず電極部２０について説明する。
【００１１】  電極部２０は、使用者Ｐが発する電気的な生体信号を取得するものである。図１から３に示すように、電極部２０は、生体信号を取得する導電層２１と、導電層２１の一方の面２１ａ上に配置された挟持層２２と、導電層２１と挟持層２２とを基準方向Ｘに沿って延びるように接続する一対の接続部２３、２４と、を有している。この例の電極部２０は、幅が広いタイプである。  基準方向Ｘは、導電層２１の一方の面２１ａに沿う方向である。
【００１２】  導電層２１は、導電性高分子を含浸させた繊維構造物で形成されている。  導電層２１に使用する繊維構造物の形態としては、織物、編物および不織布が挙げられる。繊維構造物に含浸させる導電性樹脂（導電性高分子）の量が不足すると、繰り返し使用での洗濯耐久性が得られなくなるため、繊維構造物の目付け（導電性高分子を含浸させるための生地としての単位重量）は、５０ｇ／ｍ２以上３００ｇ／ｍ２以下であることが好ましい。５０ｇ／ｍ２より小さいと、導電性樹脂の含浸量が少なくなり、洗濯耐久性が得られない。３００ｇ／ｍ２より大きいと、着用感が劣る原因となる。より好ましくは、６０ｇ／ｍ２以上２５０ｇ／ｍ２以下である。  繊維構造物の厚みは、０．２ｍｍ以上２．０ｍｍ以下であることが好ましい。厚みが０．２ｍｍ未満では、生地が薄過ぎるため実質目付けが小さくなり、導電性樹脂の含浸量が少なくなる。厚みが２．０ｍｍを超えると、厚過ぎて着用感が劣る原因となる。より好ましくは０．３ｍｍ以上１．５ｍｍ以下である。
【００１３】  また、良好な心電波形を継続的に得るためには、導電層２１が皮膚に接触し、貼り付いた状態を保持する必要がある。導電層２１を皮膚に継続して貼り付けておくためには、繊維構造物を構成する生地の柔軟性が必要となるため、繊維構造物は、織物、編物、不織布が好ましく、より好ましくは、より柔軟性の高い編物である。ただし、導電層２１自体の柔軟性が高すぎるために、着用時に導電層２１が折れたり、動いたりする場合は、導電層２１の裏側に補強のための部材を配置しても良い。  さらに、編物に代表される繊維構造物の組織、製造方法は特に限定される物では無いが、導電層２１として汗等の水分を保持する形状が好ましく、編物ではダブルニットが好ましく使用出来る。その例として、ダブルラッセル組織、ダンボール組織、リバーシブル組織、スムース組織、フライス組織、裏毛組織等が上げられるが、これに限定される物ではない。
【００１４】  本発明の導電層２１に用いる織編物は、導電性樹脂の繊維構造物への担持ならびに高導電性の観点から、複数の単繊維から構成されるマルチフィラメント糸を含んでいることが好ましい。マルチフィラメント糸の繊度は特に限定はされないが、繊維構造物としての特性を活かす観点から、３０ｄｔｅｘから４００ｄｔｅｘであることが好ましい。織編物中のマルチフィラメント糸の混率は、性能に影響がない範囲であれば、特に限定されないが、混率は高い方が導電性、耐久性の観点から好ましく、より好ましくは５０％以上１００％以下である。
【００１５】  織編物に使用されるマルチフィラメント糸の素材は、例えばポリエチレンテレフタレート、ポリトリメチレンテレフタレート、ポリブチレンテレフタレート等のポリエステル系合成繊維、ナイロン等のポリアミド系合成繊維などを使用することができるがこれに限定されるものではない。また、酸化チタン等の添加物を配合したものを使用してもよいし、吸湿性向上等の機能性付与のためにポリマー改質した繊維も使用してもよい。  また、マルチフィラメントを構成する単繊維単位の断面形状も規定されるものではなく、丸形、三角形、八葉形、扁平形、Ｙ形に代表される様々な異形断面糸も使用することができる。さらに、非弾性糸として、粘度が異なるポリマーからなる芯鞘またはサイドバイサイド型の複合糸を使用することもできる。さらにまた、これらの原糸に仮撚加工を施した仮撚加工糸を用いても良い。さらには、ポリアクリルニトリル、ポリプロピレンなどの合成繊維、レーヨン、ポリノジック、キュプラなどの再生繊維、アセテート、トリアセテートなどの半合成繊維、シルクに代表される天然繊維を使用することができる。
【００１６】  本発明に係る繊維構造物は、繊維表面および繊維間の空隙へ導電性樹脂を担持させる観点から、単繊維の繊維径が０．２ｄｔｅｘ以下のマルチフィラメントを含むことが好ましい。０．２ｄｔｅｘ以下の単繊維マルチフィラメントの繊維構造物に占める混率は、性能に影響がない範囲であれば特に限定されないが、混率は高い方が導電性、耐久性の観点から好ましく、より好ましくは５０％以上１００％以下である。  さらに、単繊維の本数が多いほど複数の単繊維から構成される空隙、すなわち導電性樹脂が担持される部位が細分化されることで導電性樹脂の繊維構造物への担持性が高くなり、かつ、繊維径が細くなることで細分化されても導電性樹脂の連続性が保持されるため、優れた高導電性および洗濯耐久性が得られるようになる。
【００１７】  好ましくは、人工皮革やアウター素材などに用いられる繊維径が５μｍ以下のマイクロファイバーを用いることが好ましく、より好ましくは、近年、スポーツ衣料、ブラジャー、ゴルフグローブ等の内張りに、滑り止めを目的に使用されている繊維径１０ｎｍ以上１０００ｎｍ以下のナノファイバーを用いることがより好ましい。  ナノファイバーとしては、“ナノアロイ（登録商標）”繊維から作製されるナノファイバーステープル糸集合体、エレクトロスピニング方式等により作製されるモノフィラメント糸の集合体等、既知の方法で作製されたナノファイバーを含む繊維構造物が好適に利用できるが、ナノファイバーのマルチフィラメント糸を含む繊維構造物がより好ましい。  ナノファイバーのマルチフィラメント糸は、既知の複合紡糸方式等により作製できる。  一例としては、特開２０１３−１８５２８３号公報に例示された複合口金を用いた複合繊維を脱海した、繊維径のバラツキが小さいナノファイバーマルチフィラメント糸が有効に利用できるが、これらに限定されるものではない。ここで、脱海とは、繊維の海成分を溶かして島成分を残す加工のことを言う。
【００１８】  導電性高分子としては、ポリ３，４−エチレンジオキシチオフェンとポリスチレンスルホン酸との混合物（ＰＥＤＯＴ−ＰＳＳ）を好適に用いることができる。  これ以外には、導電性高分子として、例えばピロール系、チオフェン系、イソチアナフテン系、フェニレン系、アセチレン系、アニリン系の各導電性高分子や、これらの共重合体等を用いることができる。また、これらの導電性高分子のドーパントに、例えばハロゲン化物イオン、過塩素酸イオン、テトラフルオロ硼酸イオン、六フッ化ヒ酸イオン、硫酸イオン、硝酸イオン、チオシアン酸イオン、燐酸系イオン、トリフルオロ酢酸イオン、トシレートイオン、アルキルスルホン酸イオン、ポリアクリル酸イオン等の高分子イオンのうち、少なくとも一種のイオンが用いられてもよい。
【００１９】  本発明に係る繊維構造物からなる導電層２１は、皮膚への接触時の刺激性が少なく、安全性が高い。皮膚の乾燥等により信号が良好に得られない場合は、繊維構造物に、生理食塩水や保湿剤を少量塗布することが好ましい。保湿剤としては、例えば、グリセロール、ソルビトール、ポリエチレングリコール、ポリエチレングリコール−ポリプロピレングリコールコポリマー、エチレングリコール、スフィンゴシン、ホスファチジルコリン等を用いることができ、これらのうち１種類を単独で用いても良く、２種以上を組合せて用いても良い。  このように導電層２１を保湿することで、導電層２１が使用者Ｐの皮膚に接触すると、保湿剤の濡れ性による接着力が生じる。
【００２０】  挟持層２２は、銀でコーティングされた糸である銀布帛、又はステンレス繊維層等の金属で形成されている。挟持層２２の抵抗率は、導電層２１の抵抗率よりも小さい。挟持層２２は、導電層２１に直接接触することで導電層２１に電気的に接続されている。  挟持層２２における導電層２１とは反対側の面には、後述する雌面ファスナー１４に着脱可能に係合する電極側雄面ファスナー（第一の被係合部）２６が固定されている。電極側雄面ファスナー２６は、雌面ファスナー１４のループ面に比べて硬いフック面を有する。
【００２１】  接続部２３、２４は、導電層２１、挟持層２２、及び電極側雄面ファスナー２６を糸で縫い合わせた縫い目である。接続部２３、２４は、一方の面２１ａに沿うとともに基準方向Ｘに交差する交差方向（交差する方向）Ｙに互いに離間するように並べて配置されている。基準方向Ｘ及び交差方向Ｙは、それぞれが導電層２１の一方の面２１ａに沿う方向である。接続部２３、２４は、それぞれが直線状に延びているが、基準方向Ｘに対して傾斜している。
【００２２】  基準方向Ｘの第一の側（一方側）Ｘ１における一対の接続部２３、２４の間の距離Ｌ１は、基準方向Ｘの第二の側（他方側）Ｘ２における一対の接続部２３、２４の間の距離Ｌ２よりも短い。接続部２３、２４間の導電層２１と挟持層２２とは、接続されていない。  導電層２１と挟持層２２との間であって一対の接続部２３、２４の間の部分が、収容部２７を構成する。収容部２７は、電極部２０に形成されている。
【００２３】  図３に示すように、導電層２１、挟持層２２、及び電極側雄面ファスナー２６を互いに接続するように、補助接続部３０ａ〜３０ｇが設けられている。補助接続部３０ａ〜３０ｇは、縫い目で構成される。  より具体的には、補助接続部３０ａ、３０ｂは、それぞれが基準方向Ｘに沿って延びるとともに、交差方向Ｙに接続部２３、２４を挟むように配置されている。補助接続部３０ｃ、３０ｄは、それぞれが基準方向Ｘに沿って延びるとともに、交差方向Ｙに補助接続部３０ａ、３０ｂを挟むように配置されている。  補助接続部３０ｅは、交差方向Ｙに沿って延びるとともに、補助接続部３０ｃの基準方向Ｘの第一の側Ｘ１の端部と補助接続部３０ｄの基準方向Ｘの第一の側Ｘ１の端部とを接続している。補助接続部３０ｆは、交差方向Ｙに沿って延びるとともに、補助接続部３０ｃの基準方向Ｘの第二の側Ｘ２の端部と接続部２３の基準方向Ｘの第二の側Ｘ２の端部とを接続している。補助接続部３０ｇは、交差方向Ｙに沿って延びるとともに、補助接続部３０ｄの基準方向Ｘの第二の側Ｘ２の端部と接続部２４の基準方向Ｘの第二の側Ｘ２の端部とを接続している。
【００２４】  すなわち、補助接続部３０ｆと補助接続部３０ｇとは交差方向Ｙに離間している。補助接続部３０ｆと補助接続部３０ｇとの間から、収容部２７内に配線部４０が挿通される。
【００２５】  下着１０の表地１１及び裏地１２は、所望の布地等で形成することができる。  図１及び２に示すように、裏地１２は、表地１１の内面の少なくとも一部を覆っている。裏地１２における表地１１とは反対側には、雌面ファスナー（係合部）１４が固定されている。雌面ファスナー１４は、電極側雄面ファスナー２６のフック面に比べて軟らかいループ面を有する。雌面ファスナー１４は、裏地１２に図示しない縫い目等により固定されている。  雌面ファスナー１４は、使用者Ｐがウエアラブル電極１の下着１０を着たときに、使用者Ｐの胸部Ｐ１に対向する位置に形成されることが好ましい。  表地１１と裏地１２とは、雌面ファスナー１４よりも上方に設けられた縫い目等の接続部１５で接続されている。すなわち、表地１１と裏地１２とは、後述するように裏地１２における電極部２０が取付けられている部分である雌面ファスナー１４以外の部分で接続されている。  後述するように、雌面ファスナー１４には電極部２０の電極側雄面ファスナー２６が取付けられる。表地１１と裏地１２とが接続されている部分のうち、最も近い部分が、雌面ファスナー１４であるとする。接続部１５は、雌面ファスナー１４から離間しており、１ｃｍ以上離間していることが好ましい。
【００２６】  配線部４０は、いわゆるフラットケーブルである。配線部４０は、電気的な絶縁性を有するＰＥＴ（ポリエチレンテレフタレート）フィルムで形成された第一被覆層４１及び第二被覆層４２の間に、複数の芯線（電線）４３が挟まれた構成のものである。複数の芯線４３に対して、一方側に第一被覆層４１が形成され、他方側に第二被覆層４２が形成されている。複数の芯線４３は、互いに電気的に絶縁されている。複数の芯線４３は、第一被覆層４１上に銀ペーストを印刷すること等により形成することができる。  芯線４３は金属で形成されていて、絶縁性の被覆を有していない。被覆層４１、４２が、芯線４３を外部から絶縁している。  配線部４０の端部４０ａには第二被覆層４２は設けられていなく、複数の芯線４３が他方側に露出している。なお、図３に配線部４０の端部４０ａをハッチングにより示す。  配線部４０の端部４０ａは、電極部２０の収容部２７内に挿通される、配線部４０の端から配線部４０の長手方向に一定の範囲の領域である。  配線部４０の端部４０ａの端の幅は、前述の収容部２７の距離Ｌ１よりも短い。配線部４０の端部４０ａは、端に向かうにしたがって幅が狭くなっている。
【００２７】  図１に示すように、配線部４０における端部４０ａよりも配線部４０の長手方向の中央部側には、前述の雌面ファスナー１４に着脱可能に係合する配線側雄面ファスナー（第二の被係合部）４５が接着剤等により固定されている。すなわち、芯線４３には、被覆層４１、４２を介して配線側雄面ファスナー４５が固定されている。配線側雄面ファスナー４５は、電極側雄面ファスナー２６と同様に構成されている。
【００２８】  この例では、配線部４０は、図１に示すように、端部４０ａにおける芯線４３が挟持層２２側になるように、収容部２７内に挿通される。導電層２１と挟持層２２とで、配線部４０の端部４０ａを挟持する。収容部２７内に配線部４０の端部４０ａが挿通されたときに、挟持層２２に芯線４３が接触し、配線部４０の芯線４３が挟持層２２を介して導電層２１に電気的に接続される。なお、芯線４３は導電層２１には接触しない。
【００２９】  配線部４０における端部４０ａとは反対側の端部には、図１に示す測定装置Ｄが接続されている。  測定装置Ｄは、使用者Ｐが発する電気的な生体信号の処理が可能な公知の構成のものである。  測定装置Ｄは、例えば表地１１に設けられたポケット等の収納部１１ａ内に保持されている。測定装置Ｄは、裏地１２に設けられた収納部内や、使用者Ｐに取付けられるウエストバッグ内等に保持されてもよい。
【００３０】  次に、以上のように構成されたウエアラブル電極１の作用について説明する。  使用者Ｐは、電極部２０及び配線部４０を取外した下着１０を洗濯等しておく。  新しい電極部２０の収容部２７内に、配線部４０の端部４０ａを挿通させる。一対の接続部２３、２４が基準方向Ｘに沿って延びるように形成されていることで、配線部４０の端部４０ａが基準方向Ｘに沿って挿入される。接続部２３、２４の間の基準方向Ｘの第一の側Ｘ１の距離Ｌ１が第二の側Ｘ２の距離Ｌ２よりも短い。このため、電極部２０に対して基準方向Ｘの第一の側Ｘ１に挿入される配線部４０の端部４０ａが接続部２３、２４により交差方向Ｙに狭持される。
【００３１】  挟持層２２に配線部４０の芯線４３が接触する。配線部４０の芯線４３が、挟持層２２を介して導電層２１に電気的に接続される。導電層２１及び挟持層２２と配線部４０の端部４０ａとの間に生じる摩擦力により、電極部２０に対する配線部４０の端部４０ａの位置が保持される。  下着１０の雌面ファスナー１４に、電極部２０の電極側雄面ファスナー２６、及び配線部４０の配線側雄面ファスナー４５を係合させる。このように係合させることで、電極部２０に対する配線部４０の端部４０ａの位置がより確実に保持される。  電極部２０は、使用者Ｐがウエアラブル電極１を着たときに使用者Ｐの胸部Ｐ１に対向する位置に配置される。
【００３２】  使用者Ｐがウエアラブル電極１を着ると、電極部２０の導電層２１は使用者Ｐの胸部Ｐ１の皮膚に接触する。導電層２１が変形しやすいため、導電層２１が胸部Ｐ１の形状に合わせて容易に変形し、導電層２１により使用者Ｐが発する生体信号を取得しやすい。  電極部２０の導電層２１により取得された生体信号は、導電層２１から抵抗率が小さい挟持層２２に伝達された後で、挟持層２２から複数の芯線４３を介して測定装置Ｄに伝達される。
【００３３】  測定装置Ｄを起動すると、心電波形等の生体信号の測定が開始される。使用者Ｐは、生体信号を測定しながら歩く等の動作をする。  使用者Ｐの動作にともなって、下着１０の表地１１が動く場合がある。接続部１５は裏地１２の雌面ファスナー１４から離間しているため、表地１１の動きが裏地１２の雌面ファスナー１４まで伝わるのが抑制される。このため、使用者Ｐの胸部Ｐ１に電極部２０の導電層２１が接触した状態が維持される。
【００３４】  以上説明したように、本実施形態のウエアラブル電極１によれば、使用者Ｐが着る下着１０の表地１１が動いたときに、雌面ファスナー１４と接続部１５とは裏地１２における異なる部分に設けられているため、表地１１の動きが接続部１５を介して電極部２０まで伝達されにくい。したがって、電極部２０が動くのを抑えることができる。  接続部２３、２４の間の基準方向Ｘの第一の側Ｘ１の距離Ｌ１が第二の側Ｘ２の距離Ｌ２よりも短い。したがって、電極部２０に対して基準方向Ｘの第一の側Ｘ１に挿入される配線部４０の端部４０ａが接続部２３、２４により交差方向Ｙに狭持され、電極部２０に配線部４０を確実に接続することができる。  電極部２０に配線部４０が確実に接続されることで、電極部２０に対して配線部４０がズレず、配線部４０の抜け落ちが少なくなり、取得した生体信号中の雑音が軽減する。
【００３５】  導電層２１は導電性繊維層で形成され、挟持層２２は金属で形成されるとともに導電層２１に接触している。このため、導電層２１が胸部Ｐ１の形状に合わせて容易に変形して、胸部Ｐ１からの生体信号を確実に導電層２１が取得することができる。そして、導電層２１の抵抗率が比較的大きい場合でも、導電層２１が取得した生体信号を抵抗率が比較的小さい挟持層２２を介して配線部４０の芯線４３に確実に伝達させることができる。  裏地１２には雌面ファスナー１４が固定され、電極部２０には電極側雄面ファスナー２６が固定され、配線部４０には配線側雄面ファスナー４５が固定されている。雌面ファスナー１４に雄面ファスナー４５、２６を係合させることで、電極部２０に対する配線部４０の端部４０ａの位置をより確実に保持することができる。
【００３６】  以上、この発明の実施形態について図面を参照して詳述してきたが、具体的な構成はこの実施形態に限られるものではなく、この発明の要旨を逸脱しない範囲の設計等も含まれる。  例えば、図４に示すように幅が狭いタイプの電極部５０を用いてもよい。この電極部５０では、前述の電極部２０に比べて導電層２１、挟持層２２、及び電極側雄面ファスナー２６の幅が狭くなっている。電極部５０には、補助接続部３０ａ、３０ｂは備えられていない。  このように、使用者Ｐの体型等に応じて幅や長さの異なる様々な仕様の電極部を予め用意しておくことが好ましい。
【００３７】  前記実施形態では、配線部４０が複数の芯線４３を有するとしたが、配線部４０が有する芯線４３の数は１つでもよい。  挟持層２２は導電性を有する金属で形成されているとした。しかし、挟持層２２は絶縁性を有する材料で形成されていてもよい。この場合、配線部４０は、端部４０ａにおける芯線４３が導電層２１側になるように、収容部２７内に挿通される。すなわち、収容部２７内に配線部４０の端部４０ａが挿通されたときに、導電層２１に芯線４３が接触する。
【００３８】  前記実施形態では、接続部２３、２４及び補助接続部３０ａ〜３０ｇは縫い目で構成されるとしたが、ホットメルト等の接着剤で構成してもよい。  係合部が雌面ファスナー１４であり、第一の被係合部が電極側雄面ファスナー２６であり、第二の被係合部が配線側雄面ファスナー４５であるとした。しかし、係合部が雄面ファスナーであり、第一、第二の被係合部が雌面ファスナーであるとしてもよい。  配線部４０の端部に、生体信号を処理する測定装置Ｄが電気的に接続されるとした。しかし、配線部４０に接続される装置はこの限りではなく、例えば生体信号の検出、表示等の処理が可能な装置でもよいし、生体信号を無線通信等により外部の装置に伝達させる装置でもよい。
【産業上の利用可能性】
【００３９】本発明により、使用者が着た衣服が動いた場合でも、電極部が動くのを抑えるウエアラブル電極の提供が可能となる。
【符号の説明】
【００４０】１…ウエアラブル電極１０…衣服１１…表地１２…裏地１４…雌面ファスナー（係合部）２０、５０…電極部２１…導電層２１ａ…一方の面２２…挟持層２３、２４…接続部２６…電極側雄面ファスナー（第一の被係合部）２７…収容部４３…芯線４５…配線側雄面ファスナー（第二の被係合部）Ｌ１、Ｌ２…距離Ｐ…使用者（生体）Ｘ…基準方向Ｘ１…第一の側（一方側）Ｘ２…第二の側（他方側）Ｙ…交差方向（交差する方向）
【図１】
2017007017.tif 000003
【図２】
2017007017.tif 000004
【図３】
2017007017.tif 000005
【図４】
2017007017.tif 000006
【国際調査報告】
2017007017.tif 000007
2017007017.tif 000008
2017007017.tif 000009
2017007017.tif 000010